(57)【要約】【課題】座支持板と背凭れ支持杆との枢着部における枢軸の脱落防止を、そのための特別の金具を用いることなく良好に防止することができるとともに、前記枢着部が外部に露出することなく、外観の体裁を良好にすることができるようにした椅子における肘部材の取付構造を提供する。【解決手段】座支持板４の後端部と背凭れ支持杆３との枢着を、座支持板４の後端部から下向きに突出させた上部連結片４ｂと、背凭れ支持杆３から上向きに突出させた下部連結片３ｃとを、左右方向を向く枢軸１３をもって軸着することにより行うとともに、背凭れ支持杆３に左右一対の肘掛け杆７を取付け、この各肘掛け杆７の左右方向の内側端部７ｄを、左右方向の外側から前記枢軸１３の左右端とそれぞれ対向させて配設する。【選択図】    図９
2010104512.tif 000002
【特許請求の範囲】
【請求項１】
背凭れ支持杆の前端部を支基に枢着し、この支基の前端部に座支持板の前端部を取付け、この座支持板の後端部を背凭れ支持杆に枢着した椅子において、座支持板の後端部と背凭れ支持杆との枢着を、座支持板の後端部から下向きに突出させた上部連結片と、背凭れ支持杆から上向きに突出させた下部連結片とを、左右方向を向く枢軸をもって軸着することにより行うとともに、背凭れ支持杆に左右一対の肘掛け杆を取付け、この各肘掛け杆の左右方向の内側端部を、左右方向の外側から前記枢軸の左右端とそれぞれ対向させて配設したことを特徴とする椅子における肘部材の取付構造。
【請求項２】
肘掛け杆の左右方向の内側端部の対向面を、座支持板の後端部と背凭れ支持杆との枢着を行う枢軸の左右端面の面積より大きい面積を備えるものとするとともに、前記枢軸が左右方向のいずれかに変位した場合に、前記枢軸の左端または右端が肘掛け杆の前記内側端部に当接して、この内側端部が前記枢軸のストッパーとして機能し、座支持板の後端部と背凭れ支持杆との枢着状態が維持されうるように、肘掛け杆の前記内側端部を、前記枢軸の左右端に近接して配設した請求項１記載の椅子における肘部材の取付構造。
【請求項３】
背凭れ支持杆と肘掛け杆との当接面に、一方に凹陥部、他方に突出部を設け、これらを嵌合させて、ねじをもって締結することにより、肘掛け杆を背凭れ支持杆に取付けた請求項１または２記載の椅子における肘部材の取付構造。
【請求項４】
座支持板の上部連結片と、背凭れ支持杆の下部連結片の両者に軸孔を穿設し、この軸孔に枢軸を挿通させて軸着するとともに、前記上部連結片の軸孔の内周縁に左右方向の外側または内側に突出する鍔部を設けた請求項１〜３のいずれかに記載の椅子における肘部材の取付構造。
【請求項５】
支基の前端部に、座支持板の前端部を前後方向に移動可能に取付けた  請求項１〜４のいずれかに記載の椅子における肘部材の取付構造。
【発明の詳細な説明】
【技術分野】
【０００１】
本発明は、椅子における肘部材の取付構造に関する。
【背景技術】
【０００２】
従来の椅子においては、座の後上方に背凭れを備える背凭れ支持杆の前端部を、支基の側部に枢着し、この支基の前端部に座支持板の前端部を取付け、この座支持板の後端部を背凭れ支持杆に枢着するとともに、この背凭れ支持杆の側部から肘部材の肘掛け杆を上方に延出させ、かつこの肘掛け杆の上端に肘掛け部を取付けたものがある（例えば特許文献１参照）。
【０００３】
しかし、特許文献１に記載された椅子は、座支持板の後端部と背凭れ支持杆との枢着部における枢軸の脱落を防止するための金具を必要とするとともに、枢着部が、背凭れ支持杆の側方に向けて露出するような取付構造となっているため、外観の体裁が悪いという問題があった。
【特許文献１】特開２００７−３２５６９６号公報
【発明の開示】
【発明が解決しようとする課題】
【０００４】
本発明は、前記の現状に鑑み、座支持板と背凭れ支持杆との枢着部における枢軸の脱落防止を、そのための特別の金具を用いることなく良好に防止することができるとともに、前記枢着部が外部に露出することなく、外観の体裁を良好にすることができるようにした椅子における肘部材の取付構造を提供することを目的とする。
【課題を解決するための手段】
【０００５】
上記課題は、「特許請求の範囲」の欄における各請求項に記載するように、次のような構成からなる発明によって解決される。
【０００６】
(１) 背凭れ支持杆の前端部を支基に枢着し、この支基の前端部に座支持板の前端部を取付け、この座支持板の後端部を背凭れ支持杆に枢着した椅子において、座支持板の後端部と背凭れ支持杆との枢着を、座支持板の後端部から下向きに突出させた上部連結片と、背凭れ支持杆から上向きに突出させた下部連結片とを、左右方向を向く枢軸をもって軸着することにより行うとともに、背凭れ支持杆に左右一対の肘掛け杆を取付け、この各肘掛け杆の左右方向の内側端部を、左右方向の外側から前記枢軸の左右端とそれぞれ対向させて配設する。
【０００７】
(２)上記(１)項において、肘掛け杆の左右方向の内側端部の対向面を、座支持板の後端部と背凭れ支持杆との枢着を行う枢軸の左右端面の面積より大きい面積を備えるものとするとともに、前記枢軸が左右方向のいずれかに変位した場合に、前記枢軸の左端または右端が肘掛け杆の前記内側端部に当接して、この内側端部が前記枢軸のストッパーとして機能し、座支持板の後端部と背凭れ支持杆との枢着状態が維持されうるように、肘掛け杆の前記内側端部を、前記枢軸の左右端に近接して配設する。
【０００８】
(３)上記(１)または(２)項において、背凭れ支持杆と肘掛け杆との当接面に、一方に凹陥部、他方に突出部を設け、これらを嵌合させて、ねじをもって締結することにより、肘掛け杆を背凭れ支持杆に取付ける。
【０００９】
(４)上記（１）〜（３）項のいずれかにおいて、座支持板の上部連結片と、背凭れ支持杆の下部連結片の両者に軸孔を穿設し、この軸孔に枢軸を挿通させて軸着するとともに、前記上部連結片の軸孔の内周縁に左右方向の外側または内側に突出する鍔部を設ける。
【００１０】
(５)上記（１）〜（４）項のいずれかにおいて、支基の前端部に、座支持板の前端部を前後方向に移動可能に取付ける。
【発明の効果】
【００１１】
請求項１記載の発明によれば、座支持板の後端部と背凭れ支持杆との枢着を、座支持板の後端部から下向きに突出させた上部連結片と、背凭れ支持杆から上向きに突出させた下部連結片とを、左右方向を向く枢軸をもって軸着することにより行うとともに、背凭れ支持杆に左右一対の肘掛け杆を取付け、この各肘掛け杆の左右方向の内側端部を、左右方向の外側から前記枢軸の左右端とそれぞれ対向させて配設してあるため、前記枢軸が左右方向のいずれかに変位した場合に、枢軸の左端または右端が肘掛け杆の前記内側端部に当接して、この内側端部が前記枢軸のストッパーとして機能し、枢軸の脱落防止を、そのための特別の金具を用いることなく良好に防止することができる。
また、座支持板の後端部と背凭れ支持杆との枢着部が、肘掛け杆の内側端部によって隠蔽されているため、背凭れ支持杆の側方から外部に露出することがなく、外観の体裁を良好にすることができる。
【００１２】
請求項２記載の発明によれば、肘掛け杆の左右方向の内側端部の対向面を、座支持板の後端部と背凭れ支持杆との枢着を行う枢軸の左右端面の面積より大きい面積を備えるものとしてあるため、肘掛け杆の前記内側端部が、前記枢軸の左右方向の変位に対するストッパーとして確実に機能する。
また、座支持板の後端部と背凭れ支持杆との枢着部を、肘掛け杆の内側端部によって効果的に隠蔽することができる。
さらに、座支持板の後端部と背凭れ支持杆との枢軸が左右方向のいずれかに変位した場合に、前記枢軸の左端または右端が肘掛け杆の前記内側端部に当接して、この内側端部が前記枢軸のストッパーとして機能し、座支持板の後端部と背凭れ支持杆との枢着状態が維持されうるように、肘掛け杆の前記内側端部を、前記枢軸の左右端に近接して配設してあるため、前記枢軸の左右方向の変位を可及的に少なくすることができ、安定した枢着部が得られる。
また、座支持板と背凭れ支持杆との左右方向の位置ずれを防止するうえでも有用である。
【００１３】
請求項３記載の発明によれば、背凭れ支持杆と肘掛け杆との当接面に、一方に凹陥部、他方に突出部を設け、これらを嵌合させて、ねじをもって締結することにより、肘掛け杆を背凭れ支持杆に取付けてあるため、肘掛け杆と背凭れ支持杆との取付けが強固になるとともに、肘掛け杆の内側端部により、前記枢軸に対するストッパー機能も安定して作用する。
【００１４】
請求項４記載の発明によれば、座支持板の上部連結片と、背凭れ支持杆の下部連結片の両者に軸孔を穿設し、この軸孔に枢軸を挿通させて軸着するとともに、前記上部連結片の軸孔の内周縁に左右方向の外側または内側に突出する鍔部を設けてあるため、人が着座した場合に、前記軸孔の内周縁に負荷される荷重に対する強度が向上し、座支持板と背凭れ支持杆との枢着部の強度を高めることができる。
【００１５】
請求項５記載の発明によれば、支基の前端部に、座支持板の前端部を前後方向に移動可能に取付けてあるため、背凭れのリクライニング動作に連動する座支持板の追従動作が円滑になる。
【発明を実施するための最良の形態】
【００１６】
本発明を、実施例を挙げて詳細に説明する。
図１は、本発明の肘部材の取付構造を備える椅子の側面図、図２は、正面図、図３は、図１に示す側面図における要部拡大図である。
【００１７】
これらの図面に示すように、本発明における椅子は、脚杆１の上端に支持された支基２に、背凭れ支持杆３の前端部が枢着され、前記支基２の前端部に座支持板４の前端部が取付けられ、この座支持板４の後端部が背凭れ支持杆３に枢着されている。
【００１８】
座支持板４には、その上方に、下面に、図示を省略した座板を備えるクッション機能を有する座５が取付けられている。
【００１９】
背凭れ支持杆３には、その後部に背凭れ６が配設されるとともに、背凭れ６の前方には、左右一対の肘掛け杆７が取付けられている。
肘掛け杆７の上端には、前後方向を向く肘掛け部７ａが設けられている。
肘部材は、これらの肘掛け杆７と肘掛け部７ａとより構成されている。
支基２の前端には、座５の高さを調節するレバー８が設けられている。
【００２０】
図４は、支基２と、背凭れ支持杆３と、座支持板４と、上端に肘掛け部７ａが設けられた肘掛け杆７との組付け斜視図、図５は、その分解斜視図、図６は、背凭れ支持杆３と、座支持板４と、肘掛け杆７との組付け手段を説明するための斜視図である。
図７は、背凭れ支持杆３を水平状態にしたときの要部平面図、図８は、図７におけるVIII〜VIII線縦断面図、図９は、図８に示す縦断面図における要部拡大図である。
【００２１】
図５に示すように、支基２は、平面視ほぼ長方形状をなし、後部に向かって漸次上下方向の厚みが大きくなるタンク状をなし、その側面２ａの後部には、軸孔２ｂが穿設され、その下方には、前後方向の長孔２ｃが穿設されている。
【００２２】
一方、背凭れ支持杆３は、平面視においてほぼ長方形状の金属板の前端中央が後方に向けてほぼ前向きＵ字状に切欠かれた形状をなすとともに、この切欠部３ａの左右前端には、それぞれ側方視ほぼ三角形状のやや大き目の取付部３ｂが設けられ、かつ前記切欠部３ａの基部には、やや小さ目の連結片３ｃが上向きに突出して設けられている。
【００２３】
前記取付部３ｂには、上部に軸孔３ｄ、下部に係止孔３ｅ、前記連結片３ｃには、軸孔３ｆがそれぞれ穿設されている。
支基２の後部が、背凭れ支持杆３のＵ字状の切欠部３ａに一部入り込み、背凭れ支持杆３の前記切欠部３ａの前端に設けられた左右一対の取付部３ｂをもって、支基２の後部を挟持する形態で、支基２の軸孔２ｂと、背凭れ支持杆３の軸孔３ｄとの位置を整合させて、軸９をもって、背凭れ支持杆３の前端部が支基２に枢着されている。
【００２４】
背凭れ支持杆３の取付部３ｂの係止孔３ｅには、ピン１０が係止され、このピン１０が、支基２の長孔２ｃに係合されて案内され、長孔２ｃの左右端に当接する範囲内で背凭れ支持杆３が支基２に対して回動可能となっている。
【００２５】
支基２の前端には、左右の一方に座５を上下調節するためのレバー８が取付けられた作動杆８ａが枢着され、他方には、背凭れのリクライニングの調節を行うためのレバー１１が取付けられた作動杆１１ａが枢着されている。
これらの作動杆８ａ、１１ａ用の取付管２ｄの上部には、それぞれ取付部２ｅが立設され、軸孔２ｆが穿設されている。
【００２６】
一方、座支持板４は、平面視において、前後端の中央がコ字状に浅く切欠かれた形状をなすとともに、前端の切欠部４ａの左右端には下向きの取付部４ｃ、後端の切欠部４ｂの左右端には、下向きに突出させた連結片４ｄが設けられており、これらの取付部４ｃ、連結片４ｄには、それぞれ軸孔４ｅ、４ｆが穿設されている。
座支持板４の取付部４ｃの軸孔４ｅと、支基２の取付部２ｅの軸孔２ｆとの位置を整合させて、軸１２をもって、座支持板４の前端部が、支基２の前端部に枢着されている。
座支持板４の後端に設けられた左右一対の連結片（上部連結片）４ｄの軸孔４ｆと、背凭れ支持杆３に設けられた左右一対の連結片（下部連結片）３ｃの軸孔３ｆとの位置を整合させて、左右方向を向く枢軸１３をもって軸着することにより、座支持板４の後端部と背凭れ支持杆３とが枢着されている。
【００２７】
図９に示すように、座支持板４における連結片４ｄの軸孔４ｆの内周縁には左右方向の外側に突出する鍔部４ｇが設けられている。
この鍔部４ｇにより、人が着座した場合に前記軸孔４ｆの内周縁に負荷される荷重に対する強度を向上させてある。鍔部４ｇは、左右方向の内側に突出するものであってもよい。
【００２８】
肘掛け杆７は、前方視において左右方向の内側向きに開口するＬ字状をなし、その上端には、前後方向の肘掛け部７ａが設けられている。
【００２９】
肘掛け杆７の下面の内側端近傍には、図６、図７に示すように、下方視において、左右方向の外側を向く三角形状の突出部７ｂが設けられ、その各頂点近傍にはねじ孔７ｃが螺設されている。
【００３０】
一方、背凭れ支持杆３の上面には、連結片３ｃの左右方向の外側近傍に、前記突出部7ｂに対応する左右一対の三角形状の凹陥部３ｇが設けられ、その各頂点近傍に通孔３ｈが穿設されている。
肘掛け杆７の前記突出部７ｂを、背凭れ支持杆３の凹陥部３ｇに上方より嵌合させて、ねじ１４を下方から通孔３ｈを挿通させてねじ孔７ｃに螺合して締結することにより、肘掛け杆７が、背凭れ支持杆３に強固に取付けられている。
【００３１】
図９に示すように、肘掛け杆７の左右方向の内側端部７ｄは、左右方向の外側から枢軸１３の左右端１３ａと対向しており、前記枢軸１３が左右方向のいずれかに変位した場合に、枢軸１３の左端１３ａまたは右端１３ａが、肘掛け杆７の内側端部７ｄに当接して、この内側端部７ｄがストッパーとして機能し、座支持板４の後端部と背凭れ支持杆３との枢着状態が良好に維持されうる程度に、肘掛け杆７の内側端部７ｄを枢軸１３の左右端１３ａに近接して配設してある。
【００３２】
肘掛け杆７の内側端部７ｄの対向面は、側方視において扁平なほぼ長方形状をなしており、枢軸１３の左右端１３ａの面積より大きい面積を備えている。
【００３３】
図５〜図７に示すように、前記内側端部７ｄは、平面視において、左右方向の内側向きのコ字状に切欠かれており、この切欠部７ｅ内に枢軸１３の左右端１３ａが入り込んでおり、枢着部が保護されている。
背凭れ支持杆３の後部への背凭れ６の取付けは、図示を省略した側方視Ｌ字状の取付け金具を、ねじを、下方から背凭れ支持杆３の通孔３ｉを挿通させて、前記取付け金具に締結することにより、取付け金具を取付け、この取付け金具に背凭れ６を取付けることによりなされている。
【００３４】
また、本実施形態においては、背凭れ６を後方にリクライニングさせると、支基２の前端部が斜め後方上向きに回動し、座支持板４が後方に移動するようになっている。
【００３５】
しかし、その他の実施形態として、たとえば、座支持板４の前端部と支基２の前端部との枢着部に前後方向の長孔を設け、座支持板４を支基２に対して、相対的に前後方向に移動可能とすることも任意である。
【図面の簡単な説明】
【００３６】
【図１】本発明の肘部材の取付構造を備える椅子の側面図である。
【図２】正面図である。
【図３】図１に示す側面図における要部拡大図である。
【図４】支基と、背凭れ支持杆と、座支持板と、上端に肘掛け部が設けられた肘掛け杆との組付け斜視図である。
【図５】支基と、背凭れ支持杆と、座支持板と、上端に肘掛け部が設けられた肘掛け杆との分解斜視図である。
【図６】背凭れ支持杆と、座支持板４、肘掛け杆との組付け手段を示すための斜視図である。
【図７】背凭れ支持杆を水平状態にしたときの要部平面図である。
【図８】図７におけるVIII〜VIII線縦断面図である。
【図９】図８に示す縦断面図における要部拡大図である
【符号の説明】
【００３７】
１    脚杆
２    支基
２ａ  側面
２ｂ  軸孔
２ｃ  長孔
２ｄ  取付管
２ｅ  取付部
２ｆ  軸孔
３    背凭れ支持杆
３ａ  切欠部
３ｂ  取付部
３ｃ  連結片（下部連結片）
３ｄ  軸孔
３ｅ  係止孔
３ｆ  軸孔
３ｇ  凹陥部
３ｈ、３ｉ  通孔
４    座支持板
４ａ、４ｂ  切欠部
４ｃ  取付部
４ｄ  連結片（上部連結片）
４ｅ、４ｆ  軸孔
４ｇ  鍔部
５    座
６    背凭れ
７    肘掛け杆
７ａ  肘掛け部
７ｂ  突出部
７ｃ  ねじ孔
７ｄ  内側端部
７ｅ  切欠部
８    レバー
８ａ  作動杆
９    軸
１０  ピン
１１  レバー
１１ａ  作動杆
１２  軸
１３  枢軸
１３ａ  左端または右端
１４  ねじ
【図１】
2010104512.tif 000003
【図２】
2010104512.tif 000004
【図３】
2010104512.tif 000005
【図４】
2010104512.tif 000006
【図５】
2010104512.tif 000007
【図６】
2010104512.tif 000008
【図７】
2010104512.tif 000009
【図８】
2010104512.tif 000010
【図９】
2010104512.tif 000011